【手続補正書】
【提出日】平成19年8月1日(2007.8.1)
【手続補正１】
【補正対象書類名】特許請求の範囲
【補正対象項目名】請求項１０
【補正方法】変更
【補正の内容】
【請求項１０】
亜鉛化合物が酸化亜鉛、水酸化亜鉛、酸化亜鉛水和物、無水炭酸亜鉛、塩基性炭酸亜鉛、亜鉛水酸化物炭酸塩、塩基性炭酸亜鉛水和物、（塩基性）珪酸亜鉛、六フッ化珪酸亜鉛、錫酸亜鉛、亜鉛−マグネシウム−アルミニウム水酸化物炭酸塩、六フッ化珪酸亜鉛６水和物、第三主属のオキソ酸の亜鉛塩、例えば硼酸亜鉛、第五主属のオキソ酸の亜鉛塩、例えばリン酸亜鉛、ピロリン酸亜鉛、遷移金属のオキソ酸の亜鉛塩、例えばクロム酸亜鉛(VI) 水酸化物 (亜鉛イエロー)、亜クロム酸亜鉛、モリブデン酸亜鉛、過マンガン酸亜鉛、モリブデン酸亜鉛−珪酸マグネシウムである、請求項５に記載のリン含有難燃剤凝集物。
【手続補正２】
【補正対象書類名】明細書
【補正対象項目名】００１０
【補正方法】変更
【補正の内容】
【００１０】
それ故に本発明は、
a)  99.99〜 80重量% の、式 (I) のホスフィン酸塩のおよび／または式(II)のジホスフィン酸塩の
【手続補正３】
【補正対象書類名】明細書
【補正対象項目名】００１２
【補正方法】変更
【補正の内容】
【００１２】
[式中、Ｒ１ およびＲ２ は互いに同じかまたは異なり、直鎖状のまたは枝分かれしたＣ1 〜  Ｃ6−アルキルおよび／またはアリールであり；
Ｒ３ は直鎖状のまたは枝分かれしたＣ1 〜Ｃ10−アルキレン、Ｃ6 〜Ｃ10−アリーレン、−アルキルアリーレンまたは−アリールアルキレンであり；
ＭはＭｇ、Ｃａ、Ａｌ、Ｓｂ、Ｓｎ、Ｇｅ、Ｔｉ、Ｆｅ、Ｚｒ、Ｃｅ、Ｂｉ、Ｓｒ、Ｍｎ、Ｌｉ、Ｎａ、Ｋおよび／またはプロトン化窒素塩基であり；
ｍは１〜４であり；
ｎは１〜４であり；および
ｘは１〜４である。］
および／またはそれらより成るポリマーの凝集物および／または一次粒子および
ｂ）  0.01〜 20重量% の、ビニルピロリドン、酢酸ビニルまたはビニルカプロラクタムまたはそれの混合物をベースとするポリマーまたはコポリマー、および／またはエポキシド類、ウレタン、アクリレート、エステル、アミド、ステアレート、オレフィン、セルロース誘導体またはそれらの混合物をベースとするポリマーまたはコポリマーである助剤
を含むリン含有難燃剤凝集物である。
【手続補正４】
【補正対象書類名】明細書
【補正対象項目名】００３２
【補正方法】変更
【補正の内容】
【００３２】
本発明によれば、他の有利な相乗剤には好ましくは式(III)〜(VIII) のそれら
【手続補正５】
【補正対象書類名】明細書
【補正対象項目名】００４５
【補正方法】変更
【補正の内容】
【００４５】
他の有利な亜鉛塩には、有機性アニオンを有するもの、例えばモノ−、ジ−, オリゴーまたはポリカルボン酸の亜鉛塩（蟻酸の塩（蟻酸亜鉛）、酢酸の塩（酢酸亜鉛、酢酸亜鉛ジ水和物、Galzin)、トリフルオロ酢酸の塩 (トリフルオロ酢酸亜鉛水和物)、プロピオン酸亜鉛、酪酸亜鉛、バレリアン酸亜鉛、カプリル酸亜鉛、オレイン酸亜鉛、ステアリン酸亜鉛 (Greven Fett-Chemie社のLiga 101)、 蓚酸の塩 (蓚酸亜鉛)、酒石酸の塩（酒石酸亜鉛)、クエン酸の塩(三塩基性のクエン酸亜鉛水和物)、安息香酸の塩 (安息香酸塩)、サリチル酸亜鉛、乳酸の塩 (乳酸亜鉛、乳酸亜鉛３水和物)、アクリル酸の塩、マレイン酸の塩、コハク酸の塩、アミノ酸の塩（グリシン)、酸性ヒドロキシ基の塩 (フェノラート亜鉛等)、パラフェノールスルホン酸亜鉛、パラフェノールスルホン酸亜鉛水和物、アセチル酢酸亜鉛水和物、タンニン酸亜鉛、ジメチルジチオカルバミン酸亜鉛、トリフルオロメタンスルホン酸亜鉛がある。
【手続補正６】
【補正対象書類名】明細書
【補正対象項目名】００９０
【補正方法】変更
【補正の内容】
【００９０】
約 50°C から製造するべき凝集物の個々の成分の分解温度までの範囲内の温度のプロセス空気を流動床に下方から導入する。分散物の場合には噴霧によって形成された顆粒の乾燥および固化を、プロセス空気によって導入されるエネルギーによってなし遂げる。流動床装置中の乾燥媒体の流速は 0.5〜 5 m/秒である。粒度および粒子湿分量の様な生成物パラメータはプロセス空気のパラメータの調節によって変える。 
【手続補正７】
【補正対象書類名】明細書
【補正対象項目名】００９１
【補正方法】変更
【補正の内容】
【００９１】
流動床内での核化は特にプロセスの開始の際に材料を最初から装入することなく噴霧乾燥により行う。プロセスの間に、核化はダストおよび磨耗によってプロセス中に内部核化がおよび／または規定の粒度より大きい分級排除されそして粉砕された粒子を戻すことによる内部核化が起因して生じる。プロセス空気によって随伴される粒子、特に細かなダストは流動床装置中にあるダスト分離器（圧力開放域およびサイクロン分離器または圧力開放域内の集積フィルター）中でおよび／または外部分離システムにおいて空気から分離されそして流動床に例えば核として戻される。粉末成分または追加成分は流動床に別の注入用装置によって導入してもよく、次いでこれらは顆粒化工程に参加する。従ってこのことが本発明の低ダストまたは無ダストの顆粒をもたらす。
【手続補正８】
【補正対象書類名】明細書
【補正対象項目名】０１０５
【補正方法】変更
【補正の内容】
【０１０５】
他の適する溶剤にはアセトン、アセトニトリル、アセトフェノン（メチルフェニルケトン）、メチルホルマート、イソアミルアルコール、（３−メチル−１−ブタノール）、第三アミルアルコール（２−メチル−２−ブタノール）、ｎ−アミルアルコール（１−ペンタノール）、アニソール（メチルフェニルエーテル）、ベンジルアルコール、ｎ−ブタノール、イソブタノール、第三ブタノール、ｎ−ブチルクロライド（１−クロロブタン）、第二ブチルクロライド（２−クロロブタン）、第三ブチルクロライド（２−クロロ−２−メチルプロパン）、ブチレン１，２−グリコール（１，２−ブタンジオール）、ブチレン１，３−グリコール（１，３−ブタンジオール）、ブチレン１，４−グリコール（１，４−ブタンジオール、テトラメチレングリコール）、第三ブチルメチルエーテル、ｎ−ブチルビニルエーテル、ｎ−ブチルアルデヒド、エチルクロロアセテート、２−クロロトルエン、シクロヘキサン、シクロペンタン、ジベンジルエーテル、１，２−ジクロロベンゼン、１，４−ジクロロベンゼン、ジクロロメタン、ジエチレングリコール、ジエチレングリコールジエチルエーテル、ジエチレングリコールジメチルエーテル（ジグライム）、ジエチレングリコールモノブチルエーテル、ジエチレングリコールモノメチルエーテル、ジエチルエーテル、ジイソプロピルエーテル、１，２−ジメトキシエタン(DME、モノグライム)、ジメチルホルムアミド、１，４−ジオキサン、ジフェニルエーテル、メチルアセテート、エタノール、エチルアセテート、エチレングリコール、エチレングリコールモノブチルエーテル、ｎ−ヘプタン、１−ヘキサデカノール（セチルアルコール）、ｎ−ヘキサン、１−ヘキサノール、ヨードシクロヘキサン、ケロシン、メシチレン、メタノール、メチルアクリレート、メチルシクロヘキサン、メチルエチルケトン、メチルイソブチルケトン、メチルビニルエーテル、１−オクタノール、イソオクタノール（２−エチル−１−ヘキサノール）、ｎ−オクタノール、パラフィン油、高沸点ホワイトスピリット、石油エーテル、石油(172-215°C)、ナフサ (140-180°C)、ナフサ (60-80°C)、低沸点ナフサ、１，２−プロパンジオール、１，３−プロパンジオール、イソプロパノール（２−プロパノール）、ｎ−プロパノール、プロピレングリコール、テトラエチレングリコールジメチルエーテル、テトラヒドロフラン、トルエン、１，１，１−トリクロロエタン、１，１，２−トリクロロエタン、トリクロロエチレン、トリクロロメタン、１，２，３−トリクロロプロパン、イソトリデカノール、トリエタノールアミン、トリエタノールアミン、トリエチレングリコールジメチルエーテル（トリグライム）、トリエチレングリコールモノメチルエーテル、ジイソプロピルエーテル、ｍ−キシレン、ｏ−キシレン、ｐ−キシレンまたはそれらの混合物がある。
【手続補正９】
【補正対象書類名】明細書
【補正対象項目名】０１１２
【補正方法】変更
【補正の内容】
【０１１２】
有利なポリマーにはハロゲン含有ポリマー、例えばポリクロロプレン、塩素化ゴム、塩素化および臭素化イソブチレン−イソプレンコポリマー（ハロブチルゴム）、塩素化またはクロロスルホン化ポリエチレン、エチレンと塩素化エチレンとのコポリマー、エピクロロヒドリン−ホモ−およびコポリマー、特にハロゲン含有ビニル化合物のポリマー、例えばポリ塩化ビニル、ポリビニリデンクロライド、ポリビニルフルオライド、ポリビニリデンフルオライド；およびそれらのコポリマー、例えば塩化ビニル−ビニリデンクロライド、塩化ビニル−酢酸ビニル、およびビニリデンクロライド−酢酸ビニルコポリマーがある。  
【手続補正１０】
【補正対象書類名】明細書
【補正対象項目名】０１１９
【補正方法】変更
【補正の内容】
【０１１９】
有利なポリマーには、ジアミン類とジカルボン酸とから、および／またはアミノカルボン酸からまたは相応するラクタムから誘導されるポリアミドおよびコポリアミド、例えばナイロン−４、ナイロン−６（ (DSM社のAkulon K122; DuPont 社のZytel 7301; Bayer 社のDurethan B 29)、ナイロン-6,6 (DuPont 社のZytel 101; Bayer社のDurethan A30、 Durethan AKV、Durethan AM; BASF社のUltramid A3)、-6,10、-6,9、-6,12、 -4,6、−12,12、ナイロン-11およびナイロン-12 (Ems Chemie 社のGrillamid L20)、m-キシレン、ジアミンおよびアジピン酸をベースとする芳香族ポリアミド類; ヘキサメチレンジアミンおよびイソ−および／またはテレフタル酸および場合によっては変性剤としてのエラストマー、例えばポリ−２，４，４−トリメチルヘキサメチレンテレフタルアミドまたはポリ−ｍ−フェニレンイソフタルアミドから製造されるポリアミド類がある。他の適するポリマーには上記のポリアミドとポリオレフィン、オレフィンコポリマー、イオノマーまたは化学的に結合したまたはグラフトしたエラストマーとのブロックコポリマー；ポリエーテル、例えばポリエチレングリコール、ポリプロピレングリコールまたはポリテトラメチレングリコールとのブロックコポリマーがある。更にEPDM または ABSで変性されたポリアミドまたはコポリアミド並びに加工の間に縮合されたポリアミド(”RIM ポリアミド系”)も適している。
【手続補正１１】
【補正対象書類名】明細書
【補正対象項目名】０１２３
【補正方法】変更
【補正の内容】
【０１２３】
有利なポリマーは、一方をアルデヒドとしそしてもう一方をフェノール類、尿素またはメラミンとして誘導された架橋したポリマー、例えばフェノール−ホルムアルデヒド樹脂、尿素−ホルムアルデヒド樹脂またはメラミン−ホルムアルデヒド樹脂があり、乾性および非乾性のアルキッド樹脂も適している。
【手続補正１２】
【補正対象書類名】明細書
【補正対象項目名】０１２４
【補正方法】変更
【補正の内容】
【０１２４】
有利なポリマーには飽和または不飽和ジカルボン酸と多価アルコールから誘導されるコポリエステルおよび架橋剤としてのビニル化合物とのコポリエステルから誘導される不飽和ポリエステル、またはこれらのハロゲン含有難燃剤変性物がある。
【手続補正１３】
【補正対象書類名】明細書
【補正対象項目名】０１３３
【補正方法】変更
【補正の内容】
【０１３３】
有利な添加物には酸化防止剤（例えばアルキル化モノフェノール類、アルキルチオメチルフェノール、ハイドロキノン、およびアルキル化ハイドロキノン、ヒドロキシル化チオジフェニルエーテル、アルキリデンビスフェノール、 O-、 N-およびS-ベンジル化合物、ヒドロキシベンジル化マロナート、ヒドロキシベンジル芳香族化合物、トリアジン化合物、ベンジルホスホナート、アシルアミノフェノール、β−(3,5-ジ第三ブチル-4-ヒドロキシフェニル)プロピオン酸と一価または多価アルコールとのエステル、β-(5-第三ブチル-4-ヒドロキシ-3-メチルフェニル)プロピオン酸と一価または多価アルコールとのエステル、β-(3,5-ジシクロヘキシル-4-ヒドロキシフェニル)プロピオン酸と一価または多価アルコールとのエステル、3,5-ジ第三ブチル-4-ヒドロキシフェニル酢酸と一価または多価アルコールとのエステル、β-(3,5-ジ第三ブチル-4-ヒドロキシフェニル)プロピオン酸のアミド、アスコルビン酸(ビタミン C)、アミン系酸化防止剤、紫外線吸収剤および光安定剤、例えば2-(2'-ヒドロキシフェニル)ベンゾチリアゾール類、 2-ヒドロキシベンゾフェノン類、非置換のまたは置換された安息香酸のエステル、アクリレート類;  2,2'-チオビス[4-(1,1,3,3-テトラメチルブチル)フェノール]のニッケル錯体、 4-ヒドロキシ-3,5-ジ第三ブチルベンジルホスホン酸のモノアルキルエステルのニッケル塩、ケトオキシム類のニッケル錯体、場合によっては追加的に配位子を持つ 1−フェニル-4-ラウロイル-5-ヒドロキシピラゾールのニッケル錯体; 立体障害アミン、オキサルアミド、2-(2-ヒドロキシフェニル)-1,3,5-トリアジン、潤滑剤、着色剤、成核剤、例えば無機系物質、例えばタルク、金属酸化物、例えば二酸化チタンまたは酸化マグネシウム、リン酸塩、炭酸塩、またはこのアルカリ土類金属の硫酸塩；有機化合物、例えば モノ−またはポリカルボン酸、またはそれらの塩、例えば 4-第三ブチル安息香酸、アジピン酸、ジフェニル酢酸、コハク酸ナトリウム、または安息香酸ナトリウム；ポリマー化合物、例えばイオン性コポリマー ("イオノマー")、充填剤および補強剤  (例えばチョークおよび炭酸カルシウム、珪酸塩、層状珪酸塩、粘土鉱物、例えばベントナイト、モンモリロナイト、ヘクトライト、サポナイト、沈降／ヒュームド／結晶質／非晶質シリカ、ガラス繊維、ガラスビーズ、アスベスト、タルク、マイカ、硫酸バリウム、金属酸化物、および金属水酸化物、元素の周期律表の第二および第三主属の元素の酸化物および／または水酸化物（好ましくはアルミニウムおよびマグネシウム）カーボンブラック、グラファイト、木粉、および他の天然物から誘導される粉末または繊維、または合成繊維)、または帯電防止剤がある。ヨーロッパ特許出願公開第584 567号明細書には使用可能な添加物の例が上げられている。